(57)【要約】【課題】充電装置と受電コイルとの位置合わせが難しい場合でも、非接触充電における充電効率を高めることができる携帯機器及び携帯時計を提供する。【解決手段】携帯時計１０Ａは、ケース１１Ａと、ケース１１Ａに収容された受電コイル２１と、軟磁性材料を含んで構成されるバイパス部材３０Ａと、バイパス部材３０Ａが埋設され、充電装置４０からの充電が行われる際に受電コイル２１と充電装置４０との間にバイパス部材３０Ａを配置するように変形可能である第１バンド１５Ａと、を備える。【選択図】図３
2017163665.tif 000002
【特許請求の範囲】
【請求項１】
ケースと、
前記ケースに収容された受電部と、
軟磁性材料を含んで構成されるバイパス部材と、
前記バイパス部材が埋設され、充電装置からの充電が行われる際に前記受電部と前記充電装置との間に前記バイパス部材を配置するように変形可能である付属部材と、
を備えることを特徴とする携帯機器。
【請求項２】
前記受電部は、前記ケースにおける前記充電装置に対向する対向面に沿った面上に形成され、中央に開口部が形成された受電コイルを備えており、
前記付属部材は、前記充電装置からの充電が行われる際に、前記対向面に直交する軸方向に見て前記バイパス部材と前記受電部とが重ならない位置に前記バイパス部材を配置するように変形可能とされている請求項１に記載の携帯機器。
【請求項３】
前記付属部材は、前記受電コイルにおける中央に形成された開口部及び前記受電コイルの外縁部に、前記バイパス部材を配置するように変形可能とされている請求項２に記載の携帯機器。
【請求項４】
時計本体と、
前記時計本体における裏面側に収容された受電部と、
軟磁性材料を含んで構成されるバイパス部材と、
前記時計本体に取り付けられるとともに前記バイパス部材が埋設され、充電装置からの充電が行われる際に前記受電部と前記充電装置との間に前記バイパス部材を配置するように変形可能とされている付属部材と、
を備えることを特徴とする携帯時計。
【請求項５】
前記付属部材は、前記受電部に沿う位置に沿って前記バイパス部材を配置するように変形可能とされた変形部を備えるバンドである請求項４に記載の携帯時計。
【請求項６】
前記付属部材は、前記時計本体に取り付けられたバンドに沿って移動可能となるように前記バンドに取り付けられ、互いの離間距離が変化することで変形する第１遊革及び第２遊革である請求項４に記載の携帯時計。
【請求項７】
前記第１遊革及び第２遊革の少なくとも一方に設けられた突起部と、
前記バンドに形成され、前記突起部を挿嵌可能であるとともに、前記充電装置からの充電が行われる際に前記受電部と前記充電装置との間に配置される留孔と、
を備える請求項６に記載の携帯時計。
【請求項８】
前記付属部材は、前記時計本体に取り付けられた紐状のバンドである請求項４に記載の携帯時計。
【請求項９】
前記受電部は、前記時計本体における前記充電装置に対向する対向面に沿った面上に形成され、中央に開口部が形成された受電コイルを備えており、
前記付属部材は、前記充電装置からの充電が行われる際に、前記対向面に直交する軸方向に見て前記バイパス部材と前記受電部とが重ならない位置に前記バイパス部材を配置するように変形可能とされている請求項４〜８のうちのいずれか１項に記載の携帯時計。
【請求項１０】
前記付属部材は、前記受電コイルにおける中央に形成された開口部及び前記受電コイルの外縁部に、前記バイパス部材を配置するように変形可能とされている請求項９に記載の携帯時計。
【発明の詳細な説明】
【技術分野】
【０００１】
本発明は、携帯機器及び携帯時計に関する。
【背景技術】
【０００２】
腕時計や懐中時計などの携帯時計、ストップウオッチ、携帯電話、携帯型情報端末機などの携帯機器においては、充電器を配線によって直接接続せずに、例えば電磁誘導を利用した非接触充電方式が広まりつつある。非接触充電方式では、非接触用の充電器に設けられた給電コイルと、携帯機器の筐体内に設けられた受電コイルとを利用している。
【０００３】
このような非接触充電方式に用いられる充電器は、例えば給電コイルとカバープレートとを備えている。また、携帯機器は、例えば筐体内に受電コイルを内蔵している。充電器の給電コイルに通電した状態で、カバープレートに携帯機器を近接させると、給電コイルと受電コイルとの間で電磁誘導が生じ、受電コイル側に電力（誘導起電力）が発生する。携帯機器においては、受電コイルで発生した電力により、携帯機器に内蔵された蓄電池に対して充電が行われる。
【０００４】
非接触充電方式によって充電を行うにあたっては、給電コイルと受電コイルとを近接させることが好適である。充電効率を高めた電子機器（充電器）として、従来、特許文献１に開示された電子機器がある。この電子機器は、第２のコイル（給電コイル）を備えており、第２のコイルは、腕時計（携帯機器）の時計本体部の水平方向に延在するバンド部に設けられた第１のコイル（受電コイル）と磁気結合する。また、この電子機器は、腕時計のバンド部を位置決めする位置決め凹部を備えており、腕時計に設けられたコンデンサに充電するには、位置決め凹部にてバンド部を位置決めして、第１のコイルと第２のコイルを近接させた状態で充電を行っている。
【先行技術文献】
【特許文献】
【０００５】
【特許文献１】特開２０１１−１６０５０１号公報
【発明の概要】
【発明が解決しようとする課題】
【０００６】
ところで、近年においては、自宅など一定の充電場所以外の場所に充電器が設置されていることがあり、充電器としても様々なものが設置されている。このため、様々な充電器で充電したとしても充電効率を高めることができる携帯機器が求められている。ところが、上記特許文献１に開示された電子機器では、電子機器における位置決め凹部に対して腕時計に取り付けられたバンドを位置決めして腕時計のコンデンサに充電している。このため、この腕時計に対してほかの電子機器によって非接触充電を行おうとしても、充電装置と受電コイルとの位置を合わせることが難しく、充電効率を高めることが難しかった。
【０００７】
そこで、本発明が解決しようとする課題は、充電装置と受電コイルとの位置合わせが難しい場合でも、非接触充電における充電効率を高めることができる携帯機器及び携帯時計を提供することである。
【課題を解決するための手段】
【０００８】
本発明に係る携帯機器は、ケースと、前記ケースに収容された受電部と、軟磁性材料を含んで構成されるバイパス部材と、前記バイパス部材が埋設され、充電装置からの充電が行われる際に前記受電部と前記充電装置との間に前記バイパス部材を配置するように変形可能である付属部材と、を備えることを特徴とする。
【０００９】
バイパス部材に含まれる軟磁性材料は、保磁力が小さく透磁率が大きい。このため、充電装置と受電部との間にバイパス部材が配置されると、充電装置に電力を供給したときの電磁誘導が強くなる。したがって、受電部に発生する誘導起電力を大きくすることができる。よって、受電部と充電装置との間にバイパス部材が配置されることにより、充電効率を高めることができる。また、バイパス部材は、受電部と充電装置との間にバイパス部材を配置するように変形可能である付属部材に設けられている。このため、受電部と充電装置との間における誘導起電力が大きくなる位置にバイパス部材を配置することができる。したがって、充電装置と受電コイルとの位置合わせが難しい場合でも、非接触充電における充電効率を高めることができる。
【００１０】
上記の携帯機器において、前記受電部は、前記ケースにおける前記充電装置に対向する対向面に沿った面上に形成され、中央に開口部が形成された受電コイルを備えており、前記付属部材は、前記充電装置からの充電が行われる際に、前記対向面に直交する軸方向に見て前記バイパス部材と前記受電部とが重ならない位置に前記バイパス部材を配置するように変形可能とされている。
【００１１】
上記の携帯機器では、充電時にバイパス部材と受電部とが重ならない位置にバイパス部材が配置されるように付属部材が変形可能とされている。充電時にバイパス部材と受電部とが重ならない位置にバイパス部材を配置することで、受電部と充電装置との間における電磁誘導をより強くすることができる。したがって、さらに非接触充電における充電効率を高めることができる。
【００１２】
上記の携帯機器において、前記付属部材は、前記受電コイルにおける中央に形成された開口部及び前記受電コイルの外縁部に、前記バイパス部材を配置するように変形可能とされている。
【００１３】
上記の携帯機器では、付属部材は、充電時に受電コイルにおける中央に形成された開口部及び受電コイルの外縁部にバイパス部材を配置するように変形可能とされている。受電コイルにおける中央に形成された開口部及び受電コイルの外縁部にバイパス部材を配置することで、受電部と充電装置との間における電磁誘導をより強くすることができる。したがって、さらに非接触充電における充電効率を高めることができる。
【００１４】
本発明に係る携帯時計は、時計本体と、前記時計本体における裏面側に収容された受電部と、軟磁性材料を含んで構成されるバイパス部材と、前記時計本体に取り付けられるとともに前記バイパス部材が埋設され、充電装置からの充電が行われる際に前記受電部と前記充電装置との間に前記バイパス部材を配置するように変形可能とされている付属部材と、を備えることを特徴とする。
【００１５】
上記の携帯時計では、受電部と充電装置との間に軟磁性材料を含むバイパス部材を配置することにより、充電効率を高めることができる。また、バイパス部材は、受電部と充電装置との間にバイパス部材を配置するように変形可能である付属部材に設けられている。このため、受電部と充電装置との間における誘導起電力が大きくなる位置にバイパス部材を配置することができる。したがって、充電装置と受電コイルとの位置合わせが難しい場合でも、非接触充電における充電効率を高めることができる。
【００１６】
上記の携帯時計において、前記付属部材は、前記受電部に沿う位置に前記バイパス部材を配置するように変形可能とされた変形部を備えるバンドである。
【００１７】
上記の携帯時計では、付属部材は、受電部に沿う位置にバイパス部材を配置するように変形可能とされている。このため、受電部と充電装置との間における誘導起電力が大きくなる位置にバイパス部材を容易に配置することができる。
【００１８】
上記の携帯時計において、前記付属部材は、前記時計本体に取り付けられたバンドに沿って移動可能となるように前記バンドに取り付けられ、互いの離間距離が変化することで変形する第１遊革及び第２遊革である。
【００１９】
上記の携帯時計では、第１遊革及び第２遊革にバイパス部材が埋設されている。このため、バイパス部材を受電部と充電装置との間に容易に配置することができる。また、第１遊革と第２遊革とは互いの離間距離が変化することで変形するので、様々な形状の充電装置から非接触充電される場合であっても充電効率を高めることができる。
【００２０】
上記の携帯時計において、前記第１遊革及び第２遊革の少なくとも一方に設けられた突起部と、前記バンドに形成され、前記突起部を挿嵌可能であるとともに、前記充電装置からの充電が行われる際に前記受電部と前記充電装置との間に配置される留孔と、を備える。
【００２１】
上記の携帯時計では、第１遊革及び第２遊革の少なくとも一方に突起部が設けられ、充電装置からの充電が行われる際に受電部と充電装置との間に配置される留孔が形成されている。このため、充電装置からの充電を行う際に、第１遊革や第２遊革を受電部と充電装置との間の所望の位置に確実に配置することができる。
【００２２】
上記の携帯時計において、前記付属部材は、前記時計本体に取り付けられた紐状のバンドである。
【００２３】
付属部材が紐状のバンドであることにより、付属部材を容易に変形させることができ、バイパス部材を受電部と充電装置との間の所望の位置に容易に配置することができる。
【００２４】
上記の携帯時計において、前記受電部は、前記時計本体における前記充電装置に対向する対向面に沿った面上に形成され、中央に開口部が形成された受電コイルを備えており、前記付属部材は、前記充電装置からの充電が行われる際に、前記対向面に直交する軸方向に見て前記バイパス部材と前記受電部とが重ならない位置に前記バイパス部材を配置するように変形可能とされている。
【００２５】
上記の携帯時計では、充電時にバイパス部材と受電部とが重ならない位置にバイパス部材を配置することができるため、さらに非接触充電における充電効率を高めることができる。
【００２６】
上記の携帯時計において、前記付属部材は、前記受電コイルにおける中央に形成された開口部及び前記受電コイルの外縁部に、前記バイパス部材を配置するように変形可能とされている。
【００２７】
上記の携帯時計では、充電時に受電コイルにおける中央に形成された開口部及び受電コイルの外縁部にバイパス部材を配置することができるため、さらに非接触充電における充電効率を高めることができる。
【発明の効果】
【００２８】
本発明に係る携帯機器及び携帯時計によれば、充電装置と受電コイルとの位置合わせが難しい場合でも、非接触充電における充電効率を高めることができる携帯機器及び携帯時計を提供することができる。
【図面の簡単な説明】
【００２９】
【図１】第１実施形態に係る携帯時計の斜視図である。
【図２】（Ａ）は、第１実施形態に係る携帯時計の変形前の平面図、（Ｂ）は、その変形後の平面図である。
【図３】第１実施形態に係る携帯時計の充電状態の正断面図である。
【図４】（Ａ）は、バイパス部材が配置されていない状態の磁力線を説明するための携帯時計の正断面図、（Ｂ）は、バイパス部材が配置された状態の磁力線を説明するための携帯時計の正断面図である。
【図５】（Ａ）は、第２実施形態に係る携帯時計の平面図、（Ｂ）は、第２実施形態に係る携帯時計の側面図である
【図６】（Ａ）は、第２実施形態に係る携帯時計の充電状態の平面図、（Ｂ）は、第２実施形態に係る携帯時計の充電状態の側断面図である
【図７】（Ａ）は、第３実施形態に係る携帯時計の平面図、（Ｂ）は、第３実施形態に係る携帯時計の側断面図である。
【図８】（Ａ）は、第３実施形態に係る携帯時計の充電状態の平面図、（Ｂ）は、第３実施形態に係る携帯時計の充電状態の側断面図である。
【図９】（Ａ）は、第４の実施形態に係る携帯時計の充電状態の側断面図、（Ｂ）は、バンドの平面図である。
【発明を実施するための形態】
【００３０】
次に、本発明実施形態を図面に基づいて説明する。なお、以下の各実施形態の説明において、機能が共通する部材については、同一の符号を付し、その説明を省略することがある。
【００３１】
＜第１実施形態＞
まず、第１実施形態について説明する。
１−１．携帯時計の構成
図１は、第１実施形態に係る携帯時計の斜視図、図２（Ａ）は、第１実施形態に係る携帯時計の変形前の平面図、（Ｂ）は、その変形後の平面図である。図１及び図２に示すように、本発明の携帯機器の一例である携帯時計１０Ａは、本発明の時計本体の一例であるケース１１Ａを備えている。ケース１１Ａの表面には、液晶表示パネル等の表示装置が設けられており、時刻等の情報を表示する。また、ケース１１Ａには、ムーブメントが内蔵されている。ムーブメントは、駆動ユニット及びバッテリ（蓄電池）等を備えており、表示装置に表示される表示情報を制御する。
【００３２】
ケース１１Ａの両端部には、かん１２Ａ〜１２Ｄが形成されている。また、ケース１１Ａの裏面側には開口部が形成されている。開口部には、裏蓋１３が取り付けられている。裏蓋１３は、開口部を塞いでいる。一側のかん１２Ａ，１２Ｃには、第１ピン１４Ａによって本発明の付属部材及びバンドの一例である第１バンド１５Ａが取り付けられている。他側のかん１２Ｂ，１２Ｄには、第２ピン１４Ｂによって第２バンド１５Ｂが取り付けられている。第１バンド１５Ａにおけるケース１１Ａに取り付けられた側と反対側の端部には、美錠１６が設けられている。
【００３３】
ケース１１Ａの内部には、アンテナ２０が設けられている。アンテナ２０は、本発明の受電部の一例である受電コイル２１と、電磁シールド２２（図３参照）とを備えている。受電コイル２１は、裏蓋１３に近接した位置に配置されている。ここで、裏蓋１３がケース１１Ａに組み込まれた際、外部に露出する露出面とは反対側の面を裏蓋１３の裏面と定義する。受電コイル２１は、本発明の対向面の一例である裏蓋１３の裏面に沿った面上に設けられている。裏蓋１３の裏面に沿った面は、裏蓋１３の裏面に略平行な面である。
【００３４】
受電コイル２１は、上下方向に見て渦巻き状をなしている。なお、以下の説明において、裏蓋１３の裏面に直交する軸方向を上下方向として説明を行う。また、上下方向に見た際の受電コイル２１の中央には、本発明の開口部の一例である中央開口部２１Ａが形成されている。受電コイル２１の外縁部２１Ｂは、本発明の外縁部の一例である。
【００３５】
図３に示すように、電磁シールド２２は、受電コイル２１を挟んで裏蓋１３の反対側に配置されている。電磁シールド２２は、受電コイル２１のほぼ全体を覆っている。電磁シールド２２には、ケース１１Ａに内蔵された図示しない蓄電池が載置されている。
【００３６】
電磁シールド２２は、受電コイル２１を通過する磁力線の上方への漏えいを抑制している。蓄電池には、受電コイル２１で発生した電力が供給される。蓄電池は、供給された電力を蓄電している。蓄電池は、ムーブメントの駆動ユニットを駆動させる駆動力等を発生させるための電力をムーブメントに供給する。
【００３７】
また、第１バンド１５Ａは、伸縮可能な素材で形成されている。第１バンド１５Ａは、図１及び図２に示すように、本発明の変形部の一例である第１バイパス収容部１５Ａ１、第２バイパス収容部１５Ａ２、及び第３バイパス収容部１５Ａ３を備えている。第１バイパス収容部１５Ａ１は、第２バイパス収容部１５Ａ２と第３バイパス収容部１５Ａ３とに挟まれた位置に配置されている。第１バイパス収容部１５Ａ１と第２バイパス収容部１５Ａ２との間には、第１スリット１５ａ１が形成されている。第１バイパス収容部１５Ａ１と第３バイパス収容部１５Ａ３との間には、第２スリット１５ａ２が形成されている。
【００３８】
第２バイパス収容部１５Ａ２及び第３バイパス収容部１５Ａ３は、いずれも受電コイル２１の外縁部２１Ｂに沿うように変形可能とされている。第２バイパス収容部１５Ａ２及び第３バイパス収容部１５Ａ３は、変形時に第１バンド１５Ａの延在方向に交差する方向に向けて広がるように変形する。
【００３９】
非変形時の第２バイパス収容部１５Ａ２及び第３バイパス収容部１５Ａ３は、図２（Ａ）に示すように、直線状をなしている。このとき、第２バイパス収容部１５Ａ２及び第３バイパス収容部１５Ａ３は、いずれも第１バンド１５Ａの延在方向に沿って配置されている。このため、第１バイパス収容部１５Ａ１、第２バイパス収容部１５Ａ２、及び第３バイパス収容部１５Ａ３は、互いに略平行に配置されている。
【００４０】
変形時の第２バイパス収容部１５Ａ２及び第３バイパス収容部１５Ａ３は、図２（Ｂ）に示すように、上下方向に見て弧状をなしている。このとき、第２バイパス収容部１５Ａ２及び第３バイパス収容部１５Ａ３は、第１バイパス収容部１５Ａ１上の一点を中心とする円弧に沿って配置される。また、第２バイパス収容部１５Ａ２及び第３バイパス収容部１５Ａ３の変形時における第１スリット１５ａ１及び第２スリット１５ａ２を平面視した際の形状は、いずれも略半円形状となる。
【００４１】
第２バイパス収容部１５Ａ２及び第３バイパス収容部１５Ａ３の変形時に略半円形状となる第１スリット１５ａ１と第２スリット１５ａ２には、アタッチメントが挿入可能とされている。第２バイパス収容部１５Ａ２及び第３バイパス収容部１５Ａ３の変形時の形状は、略半円形状となった第１スリット１５ａ１と第２スリット１５ａ２にアタッチメントが挿入されていることで維持されている。
【００４２】
アタッチメントは、図２（Ｂ）に示す第１スリット１５ａ１及び第２スリット１５ａ２に対して挿入可能とされている。アタッチメントは、第１スリット１５ａ１と第２スリット１５ａ２とを互いに離反させて、略半円形状に変形させる部材である。例えば、第１スリット１５ａ１に挿入されるアタッチメントの形状は、第１スリット１５ａ１側が先細り、第１スリット１５ａ１から遠ざかるにしたがって拡幅するテーパ状をなしている。また、アタッチメントの平断面のうち、もっとも面積が広い部分が略半円形状をなしている。第１スリット１５ａ１は、アタッチメントが第１スリット１５ａ１に挿入されることにより、略半円形状に変形させられる。第２スリット１５ａ２に挿入可能とされたアタッチメントも同様の形状とすることができる。
【００４３】
第１バンド１５Ａには、本発明のバイパス部材の一例であるバイパス部材３０Ａが収容されている。具体的に、第１バイパス収容部１５Ａ１には、第１バイパス３１Ａが埋設されている。第２バイパス収容部１５Ａ２及び第３バイパス収容部１５Ａ３には、それぞれ複数、ここでは７個の第２バイパス３２Ａ及び第３バイパス３３Ａが埋設されている。複数の第２バイパス３２Ａは、第２バイパス収容部１５Ａ２の延在方向に沿って互いに略等間隔で離間して配置されている。同様に、複数の第３バイパス３３Ａは、第３バイパス収容部１５Ａ３の延在方向に沿って互いに略等間隔で離間して配置されている。
【００４４】
第２バイパス収容部１５Ａ２及び第３バイパス収容部１５Ａ３の変形時には、複数の第２バイパス３２Ａ及び第３バイパス３３Ａは、第１バイパス３１Ａを中心とする円弧上に配列されている。この状態における第１バイパス３１Ａと第２バイパス３２Ａとの離間距離と、第１バイパス３１Ａと第３バイパス３３Ａとの離間距離とは、ほぼ同一とされている。また、向かい合う第２バイパス３２Ａと第３バイパス３３Ａの間の距離は、受電コイル２１の直径とほぼ同一とされている。
【００４５】
第１バイパス３１Ａ、第２バイパス３２Ａ、及び第３バイパス３３Ａは、いずれも軟磁性材料を含んで構成されている。軟磁性材料とは、保磁力が小さく透磁率が大きい材料であり、例えば鉄、ケイ素鋼、パーマロイ（鉄−ニッケル合金）、センダスト（鉄−ケイ素−アルミニウム合金）、パーメンジュール（鉄−コバルト合金）、ソフトフェライト（酸化鉄を主成分とするセラミックス）、アモルファス磁性合金、ナノクリスタル磁性合金などを挙げることができる。
【００４６】
１−２．充電時の態様
次に、携帯時計１０Ａのケース１１Ａに内蔵された蓄電池に対する充電時の態様について説明する。図３は、第１実施形態に係る携帯時計の充電状態の正断面図である。図３に示すように、携帯時計１０Ａの充電時には、携帯時計１０Ａが充電装置４０の上に載置される。このとき、携帯時計１０Ａの裏蓋１３の露出面が充電装置４０に対向する。
【００４７】
ここで、充電装置４０について説明する。充電装置４０は、箱状の筐体４１を備えている。充電装置４０は、給電コイル４２を備えている。給電コイル４２は、筐体４１の内部に内蔵されている。給電コイル４２は、受電コイル２１とほぼ同じ形状をなしている。給電コイル４２は、渦巻き状をなす。給電コイル４２を上下方向に見た際の中央には、中央開口部が形成されている。給電コイル４２は、略水平面に沿って形成されている。給電コイル４２の下方には、シールド部材４３が設けられている。シールド部材４３は、給電コイル４２を通過する磁力線の下方への漏えいを抑制している。
【００４８】
また、携帯時計１０Ａにおける第１バンド１５Ａは、携帯時計１０Ａが充電装置４０に載置される際に折曲させられる。このとき、受電コイル２１の中央開口部２１Ａの下側に第１バイパス３１Ａが配置される。さらに、受電コイル２１における外縁部２１Ｂの外方の下側に第２バイパス３２Ａ及び第３バイパス３３Ａがそれぞれ配置される。充電装置４０に設けられた給電コイル４２は、受電コイル２１とほぼ同じ形状をなしている。受電コイル２１と給電コイル４２は、平面視しておおよそ重なる位置に配置可能とされている。
【００４９】
このため、第２バイパス３２Ａ及び第３バイパス３３Ａは、受電コイル２１と給電コイル４２における外縁部に挟まれた位置の外側に配置されている。また、第１バイパス３１Ａは、受電コイル２１と給電コイル４２における中央開口部に挟まれた位置に配置されている。このように、第１バイパス３１Ａ、第２バイパス３２Ａ、及び第３バイパス３３Ａは、上下方向に見て受電コイル２１と重ならない位置に配置されている。
【００５０】
また、変形時の第２バイパス収容部１５Ａ２は、第２バイパス３２Ａが受電コイル２１における外縁部２１Ｂに沿って配置される形状となっている。変形時の第３バイパス３３Ａは、第３バイパス３３Ａが受電コイル２１における外縁部２１Ｂに沿って配置される形状となっている。
【００５１】
携帯時計１０Ａが充電装置４０に載置されたら、充電装置４０における給電コイル４２に電気を流して、携帯時計１０Ａの充電を開始する。給電コイル４２に電気が流れると、給電コイル４２の周囲に磁界が発生する。給電コイル４２の周囲に磁界が発生すると、給電コイル４２とケース１１Ａに内蔵された受電コイル２１との間で電磁誘導が発生する。この電磁誘導により、受電コイル２１に電流が発生する。この電流による電気が蓄電池に充電される。
【００５２】
ここで、受電コイル２１と給電コイル４２との上下方向の間に第１バイパス３１Ａ〜第３バイパス３３Ａが配置されていない場合を想定する。この場合、図４（Ａ）に示すように、給電コイル４２から発生する磁界の磁力線Ｂは短いものとなる。このため、給電コイル４２から発生する磁界が受電コイル２１まで届きにくく、充電効率があまり高くないこととなる。
【００５３】
この点、本実施形態では、受電コイル２１と給電コイル４２との上下方向の間に、軟磁性材料を含む第１バイパス３１Ａ〜第３バイパス３３Ａが配置される。第１バイパス３１Ａ〜第３バイパス３３Ａに含まれる軟磁性材料は、保磁力が小さく透磁率が大きい。このため、図４（Ｂ）に示すように、上下方向に見て受電コイル２１と給電コイル４２との間に第１バイパス３１Ａ〜第３バイパス３３Ａを配置すると、給電コイル４２から発生する磁界の磁力線Ｂは長いものとなる。このため、給電コイル４２から発生する磁界が受電コイル２１まで十分に届き、磁力線Ｂは、受電コイル２１に十分にいきわたる。
【００５４】
その結果、充電装置４０に電力を供給したときの電磁誘導が強くなり、受電コイル２１に発生する誘導起電力を大きくすることができる。したがって、受電コイル２１における電磁誘導による電流の発生量を多くすることができるので、蓄電池に対する充電効率を高めることができる。
【００５５】
また、第１バイパス３１Ａ〜第３バイパス３３Ａは、受電コイル２１と給電コイル４２との間に第１バイパス３１Ａ〜第３バイパス３３Ａを配置するように変形可能である第１バンド１５Ａに設けられている。このため、第１バンド１５Ａの折り曲げ位置などを調整することにより、受電コイル２１との相対的な位置関係を容易に調整することができる。その結果、受電コイル２１と給電コイル４２との間における誘導起電力が大きくなる位置に第１バイパス３１Ａ〜第３バイパス３３Ａを容易に配置することができる。
【００５６】
また、受電コイル２１の上方に電磁シールド２２が設けられ、給電コイル４２の下方にシールド部材４３が設けられている。このため、受電コイル２１の上方及び給電コイル４２の下方への磁力線Ｂの漏えいが抑制される。その結果、図４（Ｂ）に示すように、磁力線Ｂは、第１バイパス３１Ａと第２バイパス３２Ａとを通過して給電コイル４２と受電コイル２１との間に確実に描かれる。あるいは、磁力線Ｂは、第１バイパス３１Ａと第３バイパス３３Ａとを通過して給電コイル４２と受電コイル２１との間に確実に描かれる。よって、上下方向に見て受電コイル２１と給電コイル４２との間における電磁誘導をより強くすることができ、蓄電池に対する充電効率をより高めることができる。
【００５７】
ところで、充電装置には様々なものがある。例えば、充電装置によっては、給電コイルの大きさや形状が受電コイル２１の大きさや形状と異なることがある。この場合、受電コイル２１と給電コイルとが近接しにくい状態となることが考えられる。この点、携帯時計１０Ａでは、第１バンド１５Ａの折り曲げ位置を調整することで、第１バイパス３１Ａ〜第３バイパス３３Ａの位置を容易に調整できる。したがって、受電コイル２１と給電コイルの位置が近接しない場合でも、受電コイル２１と給電コイルの間にバイパス部材３０Ａを容易に配置することができる。したがって、充電装置と受電コイルとの位置合わせが難しい場合でも、非接触充電における充電効率を高めることができる。
【００５８】
また、バイパス部材３０Ａは、上下方向に見て受電コイル２１と重ならない位置に配置されている。具体的に、バイパス部材３０Ａの第１バイパス３１Ａ〜第３バイパス３３Ａは、受電コイル２１と給電コイル４２の中央開口部の間及び外縁部の間にそれぞれ配設されている。このように、バイパス部材３０Ａが上下方向に見て受電コイル２１と重ならない位置に配置されることにより、上下方向に見て受電コイル２１と給電コイル４２との間における電磁誘導をより強くすることができる。したがって、蓄電池に対する充電効率をより高めることができる。
【００５９】
なお、本実施形態では、バイパス部材３０Ａとして１個の第１バイパス３１Ａ、７個の第２バイパス３２Ａ、７個の第３バイパス３３Ａを設けているが、バイパス部材として、１つのバイパスを設けてもよい。また、バイパス部材として、２個、３個など他の複数のバイパスを設けてもよい。また、バイパス部材３０Ａは、受電コイル２１の中央開口部２１Ａの下側及び受電コイル２１の外縁部２１Ｂの外方の下側に配置されているが、受電コイル２１の中央開口部２１Ａの下側または受電コイル２１の外縁部２１Ｂの外方の下側のみに配置されていてもよい。また、バイパス部材３０Ａは、上下方向に見て受電コイル２１と重ならない位置に配置されているが、バイパス部材３０Ａは、上下方向に見て受電コイルと一部が重なる位置に配置されていてもよい。
【００６０】
＜第２実施形態＞
次に、本発明の第２実施形態について説明する。
２−１．携帯時計の構成
図５（Ａ）は、第２実施形態に係る携帯時計の平面図、（Ｂ）は、第２実施形態に係る携帯時計の側面図である。また、図６（Ａ）は、第２実施形態に係る携帯時計の充電時の平面図、図６（Ｂ）は、第２実施形態に係る携帯時計の充電時の側断面図である。図５（Ａ）（Ｂ）に示すように、携帯時計１０Ｂは、ケース１１Ｂを備えている。ケース１１Ｂには、表示装置が設けられ、ムーブメントが内蔵されている。ケース１１Ｂには、アンテナ２０が設けられている。アンテナ２０は、受電コイル２１及び電磁シールド２２を備えている。受電コイル２１の中央に中央開口部２１Ａが形成されている。受電コイル２１には、外縁部２１Ｂが形成されている。アンテナ２０は、上記第１実施形態で説明したものと共通である。
【００６１】
ケース１１Ｂの両端部には、かん１２Ａ〜１２Ｄが形成されている。ケース１１Ｂにおける一側のかん１２Ａ，１２Ｃには、第１ピン１４Ａによって第１バンド５１Ａが取り付けられている。他側のかん１２Ｂ，１２Ｄには、第２ピン１４Ｂによって第２バンド５１Ｂが取り付けられている。
【００６２】
第１バンド５１Ａには、複数の子穴５１ａ，５１ａ…が第１バンド５１Ａの延在方向に沿って略等間隔を置いて離間して形成されている。第２バンド５１Ｂにおけるケース１１Ｂに取り付けられた側と反対側の端部には、美錠５２が取り付けられている。第１バンド５１Ａと第２バンド５１Ｂとは、美錠５２に第１バンド５１Ａが挿入されて連結される。第１バンド５１Ａと第２バンド５１Ｂとは、第１バンド５１Ａにおける複数の子穴５１ａ，５１ａ…のいずれかに美錠５２のつく棒が挿入されて固定される。
【００６３】
第２バンド５１Ｂには、本発明の付属部材及び第１遊革の一例である第１遊革５３Ａが取り付けられている。第２バンド５１Ｂには、本発明の付属部材及び第２遊革の一例である第２遊革５３Ｂが取り付けられている。第１遊革５３Ａ及び第２遊革５３Ｂは、１組となって第２バンド５１Ｂに設けられている。第１遊革５３Ａ及び第２遊革５３Ｂは、それぞれ第２バンド５１Ｂの一部を包んでいる。第１遊革５３Ａ及び第２遊革５３Ｂは、いずれも第２バンド５１Ｂの延在方向に沿って移動可能とされている。
【００６４】
第２バンド５１Ｂ、第１遊革５３Ａ、及び第２遊革５３Ｂには、バイパス部材３０Ｂが埋設されている。さらにいうと、第２バンド５１Ｂには第１バイパス３１Ｂが埋設されている。第１遊革５３Ａには第２バイパス３２Ｂが埋設されている。第２遊革５３Ｂには第３バイパス３３Ｂが埋設されている。
【００６５】
第１バイパス３１Ｂは、第２バンド５１Ｂがかん１２Ｂ，１２Ｄの部分で折り返されたときに、受電コイル２１における中央開口部２１Ａの真下に配置される位置に埋設されている。第２バイパス３２Ｂは、第１遊革５３Ａの下側部分における幅方向の略中央位置に埋設されている。第３バイパス３３Ｂは、第２遊革５３Ｂの下側部分における幅方向の略中央位置に埋設されている。
【００６６】
２−２．充電時の態様
第２の実施形態に係る携帯時計１０Ｂは、充電されるときには、図６（Ａ）（Ｂ）に示すように、充電装置４０に載置される。充電装置４０は、筐体４１、給電コイル４２、及びシールド部材４３を備えている。充電装置４０は、上記第１実施形態で説明したものと共通のものである。
【００６７】
携帯時計１０Ｂでは、充電されるときに、第２バンド５１Ｂがかん１２Ｂ，１２Ｄの部分で折り返される。また、第１遊革５３Ａ及び第２遊革５３Ｂの互いの離間距離が変化させられることで、携帯時計１０Ｂの全体的な形状が変形する。第１遊革５３Ａ及び第２遊革５３Ｂの配置位置は、それぞれ受電コイル２１における外縁部２１Ｂの外方の下側とされる。
【００６８】
第２実施形態に係る携帯時計１０Ｂは、充電時には、受電コイル２１と給電コイル４２における中央開口部の間に、第１バイパス３１Ｂが配置され、外縁部の外側の間に第２バイパス３２Ｂ及び第３バイパス３３Ｂが配置されている。このため、給電コイル４２から発生する磁界の磁力線が、受電コイル２１にまで十分にいきわたるので、受電コイル２１における電磁誘導による電流の発生量を多くすることができる。その結果、充電装置４０における給電コイル４２と受電コイル２１との位置合わせが難しい場合でも、非接触充電における充電効率を高めることができる。
【００６９】
また、本実施形態では第１遊革５３Ａに第２バイパス３２Ｂが埋設され、第２遊革５３Ｂに第３バイパス３３Ｂが埋設されている。このため、第２バイパス３２Ｂと第３バイパス３３Ｂの離間距離を容易に調整することができる。したがって、充電装置におけるコイルが小さい場合や、逆に大きい場合であっても、適切な位置に第２バイパス３２Ｂと第３バイパス３３Ｂに配置しやすくされている。したがって、充電装置と受電コイルとの位置を合わせが難しい場合でも、第２バイパス３２Ｂと第３バイパス３３Ｂの配置位置を容易に調整できるので、非接触充電における充電効率を高めることができる。
【００７０】
＜第３実施形態＞
次に、本発明の第３実施形態について説明する。
３−１．携帯時計の構成
図７（Ａ）は、第３実施形態に係る携帯時計の平面図、（Ｂ）は、第３実施形態に係る携帯時計の側断面図である。また、図８（Ａ）は、第３実施形態に係る携帯時計の充電時の平面図、図８（Ｂ）は、第３実施形態に係る携帯時計の充電時の側断面図である。図７（Ａ）（Ｂ）に示すように、携帯時計１０Ｃは、ケース１１Ｃを備えている。ケース１１Ｃには、表示装置が設けられ、ムーブメントが内蔵されている。ケース１１Ｃには、アンテナ２０が設けられている。アンテナ２０は、受電コイル２１及び電磁シールド２２を備えている。受電コイル２１の中央に中央開口部２１Ａが形成されている。受電コイル２１には、外縁部２１Ｂが形成されている。アンテナ２０は、上記第１実施形態で説明したものと共通である。
【００７１】
ケース１１Ｃの両端部には、かん１２Ａ〜１２Ｄが形成されている。ケース１１Ｃにおける一側のかん１２Ａ，１２Ｃには、第１ピン１４Ａによって第１バンド５５Ａが取り付けられている。ケース１１Ｃにおける他側のかん１２Ｂ，１２Ｄには、第２ピン１４Ｂによって第２バンド５５Ｂが取り付けられている。
【００７２】
第１バンド５５Ａには、複数の子穴５５ａ，５５ａ…が第１バンド５５Ａの延在方向に沿って略等間隔を置いて離間して形成されている。第２バンド５５Ｂにおけるケース１１Ｃに取り付けられた側と反対側の端部には、美錠５７が取り付けられている。また、第２バンド５５Ｂには、本発明の付属部材及び第１遊革の一例である第１遊革５８Ａが取り付けられている。第２バンド５５Ｂには、本発明の付属部材及び第２遊革の一例である第２遊革５８Ｂが取り付けられている。第１遊革５８Ａ及び第２遊革５８Ｂは、１組となって第２バンド５５Ｂに設けられている。第１遊革５８Ａ及び第２遊革５８Ｂは、それぞれ第２バンド５５Ｂの一部を包んでいる。第１遊革５８Ａ及び第２遊革５８Ｂは、いずれも第２バンド５５Ｂの延在方向に沿って移動可能とされている。
【００７３】
さらに、第２バンド５５Ｂには、本発明の留孔の一例である遊革留孔５５ｂが形成されている。遊革留孔５５ｂは、第２バンド５５Ｂに複数形成されている。複数の遊革留孔５５ｂ，５５ｂ…は、第２バンド５５Ｂの延在方向に沿って略等間隔を置いて離間して配置されている。第１遊革５８Ａには、遊革留孔５５ｂに挿嵌可能な本発明の突起部の一例である第１突起部５８Ａ１が形成されている。第２遊革５８Ｂには、遊革留孔５５ｂに挿嵌可能な本発明の突起部の一例である第２突起部５８Ｂ１が形成されている。第１突起部５８Ａ１を複数の遊革留孔５５ｂのいずれかに挿嵌することにより、第１遊革５８Ａは、第２バンド５５Ｂに対して位置決めされる。同様に、第２突起部５８Ｂ１を複数の遊革留孔５５ｂのいずれかに挿嵌することにより、第２遊革５８Ｂは、第２バンド５５Ｂに対して位置決めされる。
【００７４】
また、第２バンド５５Ｂ、第１遊革５８Ａ、及び第２遊革５８Ｂには、バイパス部材３０Ｃが埋設されている。さらにいうと、第２バンド５５Ｂには複数の第１バイパス３１Ｃ，３１Ｃ…が埋設されている。また、第１遊革５８Ａにおける第１突起部５８Ａ１には第２バイパス３２Ｃが埋設されている。第２遊革５８Ｂにおける第２突起部５８Ｂ１には第３バイパス３３Ｃが埋設されている。
【００７５】
第２バンド５５Ｂに埋設された複数の第１バイパス３１Ｃが埋設される位置は、隣り合う遊革留孔５５ｂ，５５ｂの間とされている。第２バイパス３２Ｃ及び第３バイパス３３Ｃは、第１突起部５８Ａ１及び第２突起部５８Ｂ１のそれぞれ上下方向に見て略中央位置に埋設されている。
【００７６】
３−２．充電時の態様
第３の実施形態に係る携帯時計１０Ｃは、充電されるときには、図８（Ａ）（Ｂ）に示すように、充電装置４０に載置される。充電装置４０は、筐体４１、給電コイル４２、及びシールド部材４３を備えている。充電装置４０は、上記第１実施形態で説明したものと共通のものである。
【００７７】
携帯時計１０Ｃでは、充電されるときに、第２バンド５５Ｂがかん１２Ｂ，１２Ｄの部分で折り返される。携帯時計１０Ｃの全体的な形状は、第１遊革５８Ａ及び第２遊革５８Ｂの互いの離間距離が変化させられることで変形する。第１遊革５８Ａ及び第２遊革５８Ｂの配置位置は、それぞれ受電コイル２１における外縁部２１Ｂの外方の下側とされる。
【００７８】
第３実施形態に係る携帯時計１０Ｃは、充電時には、受電コイル２１と給電コイル４２における中央開口部の間に、第１バイパス３１Ｃが配置され、外縁部の外側の間に第２バイパス３２Ｃ及び第３バイパス３３Ｃが配置されている。このため、給電コイル４２から発生する磁界の磁力線が、受電コイル２１にまで十分にいきわたるので、受電コイル２１における電磁誘導による電流の発生量を多くすることができる。その結果、充電装置４０における給電コイル４２と受電コイル２１との位置合わせが難しい場合でも、非接触充電における充電効率を高めることができる。
【００７９】
また、本実施形態では第１遊革５８Ａに第２バイパス３２Ｃが埋設され、第２遊革５８Ｂに第３バイパス３３Ｃが埋設されている。このため、第２バイパス３２Ｃと第３バイパス３３Ｃの離間距離を容易に調整することができる。したがって、充電装置におけるコイルが小さい場合や、逆に大きい場合であっても、適切な位置に第２バイパス３２Ｃと第３バイパス３３Ｃに配置しやすくされている。したがって、充電装置と受電コイルとの位置合わせが難しい場合でも、第２バイパス３２Ｃと第３バイパス３３Ｃの配置位置を容易に調整できるので、非接触充電における充電効率を高めることができる。
【００８０】
また、第２バイパス３２Ｃ及び第３バイパスが埋設される第１遊革５８Ａの第１突起部５８Ａ１及び第２遊革５８Ｂの第２突起部５８Ｂ１は、第２バンド５５Ｂに形成された遊革留孔５５ｂに挿嵌される。このため、第２バイパス３２Ｃ及び第３バイパス３３Ｃが動かないようにすることができる。また、隣り合う遊革留孔５５ｂ、５５ｂの間には、第１バイパス３１Ｃが配置されている。このため、第２バイパス３２Ｃと第３バイパス３３Ｃとの間に第１バイパス３１Ｃを配置させやすくすることができる。
【００８１】
＜第４実施形態＞
次に、本発明の第４実施形態について説明する。
４−１．携帯時計の構成
図９（Ａ）は、第４実施形態に係る携帯時計の充電状態の側断面図、（Ｂ）は、バンドの平面図である。図９に示すように、携帯時計１０Ｄは、ケース１１Ｄを備えている。ケース１１Ｄには、風防１８が設けられ、図示しないムーブメントが内蔵されている。ケース１１Ｄには、アンテナ２０が設けられている。アンテナ２０は、受電コイル２１及び電磁シールド２２を備えている。受電コイル２１の中央に中央開口部２１Ａが形成されている。受電コイル２１には、外縁部２１Ｂが形成されている。アンテナ２０は、上記第１実施形態で説明したものと共通である。アンテナ２０には、蓄電池８０が載置されている。
【００８２】
また、ケース１１Ｄの裏面側には開口部が形成されている。この開口部には裏蓋１３が取り付けられている。裏蓋１３は開口部を塞いでいる。ケース１１Ｄの裏面側の四隅には第１バンド取付部９１Ａ〜第４バンド取付部９１Ｄが設けられている。第１バンド取付部９１Ａ〜第４バンド取付部９１Ｄは、いずれも同一形状をなしている。図９（Ａ）（Ｂ）においては、第１バンド取付部９１Ａは、第３バンド取付部９１Ｃの手前位置にある。第２バンド取付部９１Ｂは、第４バンド取付部９１Ｄの手前位置にある。これらの第１バンド取付部９１Ａ〜第４バンド取付部９１Ｄには、本発明の紐状のバンドの一例である紐状をなすバンド７０が取り付けられている。
【００８３】
バンド７０は、図９（Ｂ）に示すように、バンド本体７０Ａを備えている。バンド本体７０Ａにおける延在方向には、略等間隔でバイパス位置が形成されている。バンド本体７０Ａにおけるバイパス位置には、バイパス３１Ｄが埋設されている。バイパス３１Ｄは、上記各実施形態と同様に、軟磁性材料で形成されている。
【００８４】
４−２．充電時の態様
第４の実施形態に係る携帯時計１０Ｄは、充電されるときには、図９（Ａ）に示すように、充電装置４０に載置される。充電装置４０は、筐体４１、給電コイル４２、及びシールド部材４３を備えている。充電装置４０は、上記第１実施形態で説明したものと共通のものである。
【００８５】
第４実施形態に係る携帯時計１０Ｄでは、充電されるときには、バンド７０におけるバンド本体７０Ａが適宜変形させられ、受電コイル２１と給電コイル４２との間に、軟磁性材料を含むバイパス３１Ｄが配置される。このため、給電コイル４２から発生する磁界の磁力線が、受電コイル２１にまで十分にいきわたるので、受電コイル２１における電磁誘導による電流の発生量を多くすることができる。その結果、蓄電池に対する充電効率を高めることができる。また、バンド７０は紐状であるため、バイパス３１Ｄの配置位置を容易に調整することができる。
【００８６】
なお、本発明は、図面を参照して説明した上述の実施形態に限定されるものではなく、その技術的範囲において様々な変形例が考えられる。
【００８７】
各実施形態では、携帯機器として、携帯時計１０Ａ〜１０Ｄを例に説明をしたが、充電用のアンテナを備えるのであれば、携帯時計１０Ａ〜１０Ｄに限定されない。したがって、例えば、心拍計や体組成計等、他の携帯機器にも本発明を適用できる。また、付属部材としては、携帯時計のバンド、遊革等を挙げているが、他のものとしてもよい。例えば、ケースに引き出し部を設けて、当該引き出し部を付属部材として、付属部材にバイパス部材を埋設するようにしてもよい。
【００８８】
その他、本発明の趣旨を逸脱しない範囲で、上記した実施の形態における構成要素を周知の構成要素に置き換えることは適宜可能である。
【符号の説明】
【００８９】
１０Ａ〜１０Ｄ…携帯時計（携帯機器）、１１Ａ〜１１Ｄ…ケース（時計本体）、１５Ａ…第１バンド（付属部材、バンド）、１５Ａ２…第２バイパス収容部（変形部）、１５Ａ３…第３バイパス収容部（変形部）、２０…アンテナ（受電部）、２１…受電コイル、２１Ａ…中央開口部（開口部）、２１Ｂ…外縁部、３０Ａ〜３０Ｃ…バイパス部材、４０…充電装置、４１…筐体、４２…給電コイル、５１Ｂ…第２バンド（バンド）、５３Ａ，５８Ａ…第１遊革（付属部材）、５３Ｂ，５８Ｂ…第２遊革（付属部材）、５５ｂ…遊革留孔（付属部材、留孔）、５５Ｂ…第２バンド（バンド）、５８Ａ１…第１突起部（突起部）、５８Ｂ１…第２突起部（突起部）、７０…バンド（付属部材、紐状のバンド）、７０Ａ…バンド本体
【図１】
2017163665.tif 000003
【図２】
2017163665.tif 000004
【図３】
2017163665.tif 000005
【図４】
2017163665.tif 000006
【図５】
2017163665.tif 000007
【図６】
2017163665.tif 000008
【図７】
2017163665.tif 000009
【図８】
2017163665.tif 000010
【図９】
2017163665.tif 000011
【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
ケースと、
前記ケースに収容された受電部と、
軟磁性材料を含んで構成されるバイパス部材と、
前記バイパス部材が埋設され、充電装置からの充電が行われる際に前記受電部と前記充電装置との間に前記バイパス部材を配置するように変形可能である付属部材と、
を備え、
前記受電部は、前記ケースにおける前記充電装置に対向する対向面に沿った面上に形成され、中央に開口部が形成された受電コイルを備えており、
前記付属部材は、前記充電装置からの充電が行われる際に、前記対向面に直交する軸方向に見て前記バイパス部材と前記受電部とが重ならない位置に前記バイパス部材を配置するように変形可能とされている携帯機器。
【請求項２】
前記付属部材は、前記受電コイルにおける中央に形成された開口部及び前記受電コイルの外縁部に、前記バイパス部材を配置するように変形可能とされている請求項１に記載の携帯機器。
【請求項３】
時計本体と、
前記時計本体における裏面側に収容された受電部と、
軟磁性材料を含んで構成されるバイパス部材と、
前記時計本体に取り付けられるとともに前記バイパス部材が埋設され、充電装置からの充電が行われる際に前記受電部と前記充電装置との間に前記バイパス部材を配置するように変形可能とされている付属部材と、
を備え、
前記付属部材は、前記時計本体に取り付けられたバンドに沿って移動可能となるように前記バンドに取り付けられ、互いの離間距離が変化することで変形する第１遊革及び第２遊革である携帯時計。
【請求項４】
前記第１遊革及び第２遊革の少なくとも一方に設けられた突起部と、
前記バンドに形成され、前記突起部を挿嵌可能であるとともに、前記充電装置からの充電が行われる際に前記受電部と前記充電装置との間に配置される留孔と、
を備える請求項３に記載の携帯時計。
【請求項５】
時計本体と、
前記時計本体における裏面側に収容された受電部と、
軟磁性材料を含んで構成されるバイパス部材と、
前記時計本体に取り付けられるとともに前記バイパス部材が埋設され、充電装置からの充電が行われる際に前記受電部と前記充電装置との間に前記バイパス部材を配置するように変形可能とされている付属部材と、
を備え、
前記付属部材は、前記時計本体に取り付けられた紐状のバンドである携帯時計。
【請求項６】
前記受電部は、前記時計本体における前記充電装置に対向する対向面に沿った面上に形成され、中央に開口部が形成された受電コイルを備えており、
前記付属部材は、前記充電装置からの充電が行われる際に、前記対向面に直交する軸方向に見て前記バイパス部材と前記受電部とが重ならない位置に前記バイパス部材を配置するように変形可能とされている請求項３〜５のうちのいずれか１項に記載の携帯時計。
【請求項７】
前記付属部材は、前記受電コイルにおける中央に形成された開口部及び前記受電コイルの外縁部に、前記バイパス部材を配置するように変形可能とされている請求項６に記載の
携帯時計。